(57)【要約】【課題】  LCDなどをファインダとして被写体のスルー画像（以下EVF）を表示させる場合、低輝度被写体の場合には、被写体を表示させることができず、撮影のためにフレーミングを行うことができなかった。そのため、低輝度被写体であっても、ストロボ発光、低速シャッタによって撮影は可能であるが、ファインダを用いて被写体のフレーミングを行うことができない問題があった。【解決手段】  本発明によれば、被写体の動作を検出し、被写体が静止している場合には、画素加算を行い色情報を含んだ適正露出のEVF表示を行い、被写体が動いている場合には、赤外線カットフィルタを光路外へ配置し、輝度情報のみをEVF表示させる。  これにより、動きのある被写体を撮影する場合の残像やフレームコマ速度優先による解像度の低下を防ぎ、また色情報を欠落させることなく静止画像のフレーミングが可能となり、撮影画像を想定したフレーミングが可能となる。【選択図】  図４
2007215107.tif 000002
【特許請求の範囲】
【請求項１】
撮像素子から被写体の光学像を取り込む撮像手段と、前記撮像素子の出力信号を増幅するゲイン設定手段と、画像を表示するための画像表示手段と、前記ゲイン設定手段からの信号を処理する画像処理手段と、前記撮像素子の光路内に配置され、光路外に退避可能な光学フィルタとを備えた撮像装置において、
前記撮像素子からの信号を前記画像処理手段によって処理した結果によって、前記光学フィルタを前記撮像素子の光路外へ退避させる、或いは前記撮像素子への光学像の蓄積時間を変更する、或いは前記撮像素子からの信号を加算処理することを特徴とする撮像装置。
【請求項２】
前記請求項１記載の撮像装置において、前記被写体の像の動きを検出し、前記被写体の像が動いている場合には、前記光学フィルタを前記撮像素子の光路外へ退避させる事を特徴とする撮像装置。
【請求項３】
前記請求項１記載の撮像装置において、前記被写体の像の動きを検出し、前記被写体の像が動いている場合には、前記光学フィルタを前記撮像素子の光路外へ退避させ、前記被写体の像が静止している場合には、前記撮像素子への光学像の蓄積時間を変更する、或いは前記撮像素子からの信号を加算処理することを特徴とする撮像装置。
【請求項４】
前記請求項１記載の撮像装置において、前記撮像素子からの信号レベルが予め定められた値以下の場合、前記請求項２、或いは請求項３記載の検出を行うことを特徴とする撮像装置。
【請求項５】
前記請求項１記載の撮像装置において、前記画像処理された信号を記録する記録手段を備え、前記被写体の像を前記画像表示手段でフレーミングを行う場合には、前記光学フィルタを前記撮像素子の光路外へ退避させる、或いは前記撮像素子への光学像の蓄積時間を変更する、或いは前記撮像素子からの信号を加算処理し、また、前記撮像素子からの信号を記録する場合には、前記光学フィルタを前記撮像素子の光路内へ配置する、或いは前記撮像素子からの信号を加算処理しないことを特徴とする撮像装置。
【請求項６】
前記請求項１記載の撮像装置において、前記画像処理された信号を記録する記録手段と、モードを選択可能なモード選択手段を備え、前記モード選択手段によって動画撮影が選択された場合、前記加算処理は行わず、前記光学フィルタを前記撮像素子の光路外へ退避させ、記録を行うことを特徴とする撮像装置。
【請求項７】
前記請求項１記載の撮像装置において、前記光学フィルタは、赤外線カットフィルタであることを特徴とする撮像装置。
【発明の詳細な説明】
【技術分野】
【０００１】
本発明は、静止画像や動画像を撮像、記憶、記録、再生する撮像装置に関し、特に低輝度時のファインダの視認性に関するものである。
【背景技術】
【０００２】
従来、CCD等の撮像素子を用いたデジタルカメラなどの撮像装置は、被写体が低輝度の場合、撮像素子より取り込まれた信号を増幅し、所望の信号レベルを取得する構成となっている。また撮影時は、信号の増幅とあわせてストロボ発光や低速シャッタなどの機能が用いられる。
【０００３】
しかし、LCDなどをファインダとして被写体のスルー画像（以下EVF）を表示させる場合、低輝度被写体の場合には、被写体を表示させることができず、撮影のためにフレーミングを行うことができなかった。そのため、低輝度被写体であっても、ストロボ発光、低速シャッタによって撮影は可能であるが、ファインダを用いて被写体のフレーミングを行うことができない問題があった。
【０００４】
特開2001-285684では低輝度被写体の場合、ゲインアップを行い信号を増幅させ、増幅率がある値以上になるとノイズによる影響を抑えるため、CCD信号を画素加算し、所望の信号レベルを得る手法が提案されている。
【０００５】
また、特開2003-57532では、フレーミング時に赤外カットフィルタを光路外へ待避させ、赤外線撮影によりフレーミング処理を行う手法が提案されている。
【特許文献１】特開２００１−２８５６８４号公報
【特許文献２】特開２００３−５７５３２号公報
【発明の開示】
【発明が解決しようとする課題】
【０００６】
しかし、特開2001-285684では画素加算の場合、動きのある被写体を撮影する場合には、残像による目的被写体との非相関、或いは、フレームコマ速度優先による解像度低下の不具合がある。
【０００７】
また、特開2003-57532では、フレーミング時は常に赤外線撮影となるため、被写体の色情報が失われ、撮影時の色情報を含んだ露出をフレーミングで確認することができない問題がある。
【０００８】
本発明は、上記従来例の課題を解決するためになされたものであり、被写体の動作を検出し、被写体が静止している場合には画素加算を行い、色情報を含んだ適正露出のEVF表示を行い、被写体が動作している場合には、赤外線カットフィルタを光路外へ配置し、輝度情報のみをEVF表示させ、残像のない被写体のフレーミングを可能にするものである。
【課題を解決するための手段】
【０００９】
本発明は上記目的を達成するために、請求項１記載の発明は、撮像素子から被写体の光学像を取り込む撮像手段と、前記撮像素子の出力信号を増幅するゲイン設定手段と、画像を表示するための画像表示手段と、前記ゲイン設定手段からの信号を処理する画像処理手段と、前記撮像素子の光路内に配置され、光路外に退避可能な光学フィルタとを備えた撮像装置において、
前記撮像素子からの信号を前記画像処理手段によって処理した結果によって、前記光学フィルタを前記撮像素子の光路外へ退避させる、或いは前記撮像素子への光学像の蓄積時間を変更する、或いは前記撮像素子からの信号を加算処理することを特徴とする。
【００１０】
本発明は上記目的を達成するために、請求項２記載の発明は、前記請求項１記載の撮像装置において、前記被写体の像の動きを検出し、前記被写体の像が動いている場合には、前記光学フィルタを前記撮像素子の光路外へ退避させる事を特徴とする。
【００１１】
本発明は上記目的を達成するために、請求項３記載の発明は、前記請求項１記載の撮像装置において、前記被写体の像の動きを検出し、前記被写体の像が動いている場合には、前記光学フィルタを前記撮像素子の光路外へ退避させ、前記被写体の像が静止している場合には、前記撮像素子への光学像の蓄積時間を変更する、或いは前記撮像素子からの信号を加算処理することを特徴とする。
【００１２】
本発明は上記目的を達成するために、請求項４記載の発明は、前記請求項１記載の撮像装置において、前記撮像素子からの信号レベルが所定値以下の場合、前記請求項２、或いは請求項３記載の検出を行うことを特徴とする。
【００１３】
本発明は上記目的を達成するために、請求項５記載の発明は、前記請求項１記載の撮像装置において、前記画像処理された信号を記録する記録手段を備え、前記被写体の像を前記画像表示手段でフレーミングを行う場合には、前記光学フィルタを前記撮像素子の光路外へ退避させる、或いは前記撮像素子への光学像の蓄積時間を変更する、或いは前記撮像素子からの信号を加算処理し、また、前記撮像素子からの信号を記録する場合には、前記光学フィルタを前記撮像素子の光路内へ配置する、或いは前記撮像素子からの信号を加算処理しないことを特徴とする。
【００１４】
本発明は上記目的を達成するために、請求項６記載の発明は、前記請求項１記載の撮像装置において、前記画像処理された信号を記録する記録手段と、記録または再生などのモードを選択可能なモード選択手段を備え、前記モード選択手段によって動画撮影が選択された場合、前記加算処理は行わず、前記光学フィルタを前記撮像素子の光路外へ退避させ、記録を行うことを特徴とする。
【００１５】
本発明は上記目的を達成するために、請求項７記載の発明は、前記請求項１記載の撮像装置において、前記光学フィルタは、赤外線カットフィルタであることを特徴とする。
【発明の効果】
【００１６】
本発明によれば、被写体の動作を検出し、被写体が静止している場合には、画素加算を行い色情報を含んだ適正露出のEVF表示を行い、被写体が動作している場合には、赤外線カットフィルタを光路外へ配置し、輝度情報のみをEVF表示させる。
【００１７】
これにより、動きのある被写体を撮影する場合の残像やフレームコマ速度優先による解像度の低下を防ぎ、また色情報を欠落させることなく静止画像のフレーミングが可能となり、撮影画像を想定したフレーミングが可能となる。
【発明を実施するための最良の形態】
【００１８】
以下、図面を参照して本発明の実施例を説明する。
【００１９】
図１は本発明の実施例における撮像システム及び表示装置の外観の一例を示す図である。図１において１はデジタルカメラ、２は本体部、１０は撮影レンズ、４８はストロボ発光部、５４はモード表示用LCD、６２はシャッタースイッチ、７２は録画・再生・パソコンとの通信用等のモード切り替えスイッチ、１０４は光学ファインダである。
【００２０】
＜撮像システムの構成説明＞
図２は本発明の実施例の構成を示す図である。
【００２１】
１０は撮影レンズ、１２は絞り機能を備えるシャッター、１３は赤外線カットフィルタ、１４は光学像を電気信号に変換する撮像素子、１６は撮像素子１４より出力される電気信号のクロックの除去やノイズの軽減するための相関二重サンプリングを行い後述のシステム制御回路５０の制御により所定のゲインを設定するＣＤＳ部、１７はＣＤＳ部１６のアナログ信号出力をデジタル信号に変換するＡ／Ｄ変換器である。
【００２２】
１８は撮像素子１４、ＣＤＳ部１６、Ａ／Ｄ変換器１７、Ｄ／Ａ変換器２６にクロック信号や制御信号を供給するタイミング発生回路であり、メモリ制御回路２２及びシステム制御回路５０により制御される。
【００２３】
２０は画像処理回路であり、Ａ／Ｄ変換器１７からのデータ或いはメモリ制御回路２２からのデータに対して所定の画素補間処理や色変換処理を行う。
【００２４】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（ストロボプリ発光）処理を行っている。
【００２５】
さらに、画像処理回路２０においては、撮像した画像データを用いて所定の演算処理を行い、得られた演算結果に基づいてTTL方式のAWB（オートホワイトバランス）処理も行っている。
【００２６】
２２はメモリ制御回路であり、Ａ／Ｄ変換器１７、タイミング発生回路１８、画像処理回路２０、画像表示メモリ２４、Ｄ／Ａ変換器２６、メモリ３０、圧縮・伸長回路３２を制御する。Ａ／Ｄ変換器１７のデータが画像処理回路２０、メモリ制御回路２２を介して、或いはＡ／Ｄ変換器１７のデータが直接メモリ制御回路２２を介して、画像表示メモリ２４或いはメモリ３０に書き込まれる。
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。
【００２７】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００２８】
３２は適応離散コサイン変換（ＡＤＣＴ）、ウェーブレット変換等により画像データを圧縮伸長する圧縮・伸長回路であり、メモリ３０に格納された画像を読み込んで圧縮処理或いは伸長処理を行い、処理を終えたデータをメモリ３０に書き込む。
【００２９】
４０は絞り機能を備えるシャッター１２を制御する露光制御手段であり、ストロボ４８と連携することによりストロボ調光機能も有するものである。
【００３０】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３１】
４８はストロボであり、AF補助光の投光機能、ストロボ調光機能も有する。
【００３２】
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００３３】
５０は撮像装置１００全体を制御するシステム制御回路、５２はシステム制御回路５０の動作用の定数、変数、プログラム等を記憶するメモリである。
【００３４】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばLCDやLED、発音素子等の組み合わせにより構成されている。また、表示部５４は、その一部の機能が光学ファインダ１０４内に設置されている。
【００３５】
表示部５４の表示内容のうち、LCD等に表示するものとしては、例えば、シングルショット/連写撮影表示、セルフタイマー表示、圧縮率表示、記録画素数表示、記録枚数表示、残撮影可能枚数表示、シャッタースピード表示、絞り値表示、露出補正表示、ストロボ表示、赤目緩和表示、マクロ撮影表示、ブザー設定表示、時計用電池残量表示、電池残量表示、エラー表示、複数桁の数字による情報表示、記録媒体２００の着脱状態表示、通信I/F動作表示、日付け・時刻表示、外部コンピュータとの接続状態を示す表示、等がある。
【００３６】
また、表示部５４の表示内容のうち、光学ファインダ１０４内に表示するものとしては、例えば、合焦表示、撮影準備完了表示、手振れ警告表示、ストロボ充電表示、ストロボ充電完了表示、シャッタースピード表示、絞り値表示、露出補正表示、記録媒体書き込み動作表示、等がある。
【００３７】
さらに、表示部５４の表示内容のうち、LED等に表示するものとしては、例えば、合焦表示、撮影準備完了表示、手振れ警告表示、手振れ警告表示、ストロボ充電表示、ストロボ充電完了表示、記録媒体書き込み動作表示、マクロ撮影設定通知表示、二次電池充電状態表示、等がある。
【００３８】
そして、表示部５４の表示内容のうち、ランプ等に表示するものとしては、例えば、セルフタイマー通知ランプ、等がある。このセルフタイマー通知ランプは、AF補助光と共用して用いても良い。
【００３９】
５６は電気的に消去・記録可能な不揮発性メモリであり、例えばEEPROM、フラッシュメモリ等が用いられる。
【００４０】
６０、６２、６４、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【００４１】
ここで、これらの操作手段の具体的な説明を行う。
【００４２】
６０は電源スイッチ（メインスイッチ）で、画像処理装置１００の電源オン、電源オフの各モードを切り替え設定することが出来る。また、画像処理装置１００に接続された各種付属装置の電源オン、電源オフの設定も合わせて切り替え設定することが出来る。
【００４３】
６２はシャッタースイッチＳW1で、不図示のシャッターボタンの操作途中でONとなり、AF（オートフォーカス）処理、AE（自動露出）処理、AWB（オートホワイトバランス）処理、ＥＦ（ストロボプリ発光）処理等の動作開始を指示する。
【００４４】
６４はシャッタースイッチＳW2で、不図示のシャッターボタンの操作完了でONとなり、撮像素子１４から読み出した信号をＡ／Ｄ変換器１７、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００４５】
７０は各種ボタンやタッチパネル等からなる操作部で、メニューボタン、セットボタン、マクロボタン、マルチ画面再生改ページボタン、ストロボ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、画像表示ON/OFFボタン、圧縮モードスイッチ、撮影直後に撮影した画像データを画像表示部２８を用いて自動再生表示するクイックレビュー機能を設定するクイックレビュースイッチ、撮影及び或いは再生を実行する際に各種機能の選択及び切り替えを設定する選択/切り替えスイッチ、撮影及び或いは再生を実行する際に各種機能の決定及び実行を設定する決定/実行スイッチ等がある。
【００４６】
なお、圧縮モードスイッチにおいては、JPEG（Joint Photographic Expert Gpoup）圧縮の圧縮率を選択するため、或いは撮像素子の信号をそのままデジタル化して記録媒体に記録するCCDRAWモードを選択するためのスイッチである。
【００４７】
JPEG圧縮のモードは、例えばノーマルモードとファインモードが用意されている。
【００４８】
撮像装置１００の利用者は、撮影した画像のデータサイズを重視する場合はノーマルモードを、撮影した画像の画質を重視する場合はファインモードを、それぞれ選択して撮影を行うことが出来る。
【００４９】
JPEG圧縮のモードに於いては、撮像素子１４から読み出されてＡ／Ｄ変換器１７、画像処理回路２０、メモリ制御回路２２を介して、メモリ３０に書き込まれた画像データを読み出し、圧縮・伸長回路３２により設定した圧縮率に圧縮し、記録媒体２００に記録を行う。
【００５０】
CCDRAWモードでは、撮像素子１４の色フィルタの画素配列に応じて、ライン毎にそのまま画像データを読み出して、Ａ／Ｄ変換器１７、メモリ制御回路２２を介して、メモリ３０に書き込まれた画像データを読み出し、記録媒体２００に記録を行う。
【００５１】
７２はモードダイアルスイッチで、自動撮影モード、撮影モード、パノラマ撮影モード、再生モード、マルチ画面再生・消去モード、PC接続モード等の各機能モードを切り替え設定することが出来る。
【００５２】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００５３】
８２はコネクタ、８４はコネクタ、８６はアルカリ電池やリチウム電池等の一次電池やNiCd電池やNiMH電池、Li-ion電池等の二次電池、ACアダプター等からなる電源手段である。
【００５４】
９０はメモリカードやハードディスク等の記録媒体とのインタフェース、９２はメモリカードやハードディスク等の記録媒体と接続を行うコネクタである。
【００５５】
１０２は、撮像装置１００のレンズ１０を含む撮像部を覆う事により、撮像部の汚れや破損を防止するバリアである保護手段である。
【００５６】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、ストロボ充電表示、シャッタースピード表示、絞り値表示、露出補正表示などが設置されている。
【００５７】
２００はメモリカードやハードディスク等の記録媒体である。
【００５８】
記録媒体２００は、半導体メモリや磁気ディスク等から構成される記録部２０２、撮像装置１００とのインタフェース２０４、撮像装置１００と接続を行うコネクタ２０６を備えている。なお、記録媒体２００は本実施例では撮像装置１００に内蔵される構成として説明している。
【００５９】
＜撮像装置１００の動作説明＞
図３は本実施例における撮像装置１００の主ルーチンのフローチャートを示す。
【００６０】
電池交換等の電源投入により、システム制御回路５０はフラグや制御変数等を初期化すると共に、撮像装置１００各部の初期化処理を行う（Ｓ１０１）。
【００６１】
システム制御回路５０は、電源スイッチ６０の設定位置を判断し、電源スイッチ６０が電源OFFに設定されていたならば（Ｓ１０２）、各表示部の表示を終了状態に変更し、フラグや制御変数等を含む必要なパラメータや設定値、設定モードを不揮発性メモリ５６に記録し、電源制御手段８０により画像表示部２８を含む撮像装置１００各部の不要な電源を遮断する等の所定の終了処理を行った後（Ｓ１０３）、Ｓ１０２に戻る。
【００６２】
電源スイッチ６０が電源ONに設定されていたならば（Ｓ１０２）、Ｓ１０４に進む。
【００６３】
システム制御回路５０は、電源制御手段８０により電池等により構成される電源８６の残容量や動作情況が撮像装置１００の動作に問題があるか否かを判断し（Ｓ１０４）、問題があるならば表示部５４及び或いは画像表示部２８を用いて画像や音声により所定の警告表示を行った後に（Ｓ１０５）、Ｓ１０２に戻る。
【００６４】
電源８６に問題が無いならば（Ｓ１０４）、Ｓ１０６に進む。
【００６５】
システム制御回路５０は、表示部５４を用いて画像や音声により撮像装置１００の各種設定状態の表示を行う。なお、画像表示部２８の画像表示がONであったならば、画像表示部２８も用いて画像や音声により撮像装置１００の各種設定状態の表示を行う（Ｓ１０６）。
【００６６】
システム制御回路５０は、モードダイアル７２の設定位置を判断し、モードダイアル７２が撮影モードに設定されていなかったならば（Ｓ１０７）、Ｓ１０９に進む。
【００６７】
モードダイアル７２が撮影モードに設定されていたならば（Ｓ１０７）、システム制御回路５０は、静止画モード、或いは動画モードを判断する（Ｓ１０８）。静止画モードに設定されていたならば、静止画モード処理を実行し（Ｓ１１１）、処理を終えたならばＳ１０２に戻る。この静止画モード処理（Ｓ１１１）の詳細は図4を用いて後述する。
【００６８】
システム制御回路５０は、動画モードに設定されていたならば（Ｓ１０８）、動画モード処理を実行し（Ｓ１１２）、処理を終えたならばＳ１０２に戻る。この動画モード処理（Ｓ１１２）の詳細は図８を用いて後述する。
【００６９】
システム制御回路５０は、モードダイアル７２の設定位置を判断し、モードダイアル７２が再生モードに設定されていなかったならば（Ｓ１０９）、Ｓ１０２に戻る。
【００７０】
モードダイアル７２が再生モードに設定されていたならば（Ｓ１０９）、再生モード処理を実行し（Ｓ１１０）、処理を終えたならばＳ１０２に戻る。
【００７１】
上記のように、撮像装置１００の利用者は、撮像装置１００を携帯して撮影、再生を随時行うことが可能である。
【００７２】
図４は、図３のＳ１１１の静止画モード処理の詳細なフローチャートを示す。
【００７３】
システム制御回路５０は、モードダイアル７２の設定位置を判断し、モードダイアル７２が静止画モードに設定されていたならば静止画シーケンスに入り、ＡＦレンズのレンズ位置をリセット位置まで駆動し（Ｓ３０１）、撮像素子１４やタイミング発生回路１８など撮像系回路の電源をオンする。システム制御回路５０は、ＣＤＳ部１６に所定のゲインを設定し、かつ露光制御部４０を制御し、絞り・シャッター１２をまず開放にした後（Ｓ３０２）、撮像素子１４を通った信号をＣＤＳ部１６で相関二重サンプリングを行い、Ａ／Ｄ変換器１７でＡ／Ｄ変換を行い、その変換された画像データを画像処理部２０で処理し、更にシステム制御回路５０に入力し、ここで測光、ホワイトバランスの演算を行う（Ｓ３０３）。この演算結果に応じてシステム制御回路５０はプログラム線図により、絞り、シャッタースピード、ＣＤＳ部１６のゲインを決定し制御する（Ｓ３０４）。次に、システム制御回路５０は、Ｓ３０４で設定された条件において、撮像素子１４からＣＤＳ部１６、Ａ／Ｄ変換器１７を介して出力された画像データを画像処理部２０で処理し、画像データの輝度値Yを算出する。輝度値Yは、例えば以下の式１で求められるものとする。
Y={3*WB_g1*(AE_g1-OB_g1)+3*WB_r*(AE_r-OB_r)+1*WB_b*(AE_b-OB_b)+3*WB_g2*(AE_g2-OB_g2)}/(10*1024)                                ・・・式１
WB_g1, WB_r, WB_b, WB_g2 :  ホワイトバランス係数
AE_g1, AE_r, AE_b, AE_g2 :  撮像素子１４の各画素出力値
OB_g1, OB_r, OB_b, OB_g2 :  撮像素子１４のＯＢ画素出力値
システム制御回路５０は、式１で求められた輝度値Yとある閾値ｘとを比較し（Ｓ３０５）、輝度値Yが閾値ｘより大きい場合、Ｓ３０９に進み、輝度値Yが閾値ｘより小さい場合、Ｓ３０６に進む。ある閾値ｘは、低輝度時にEVF表示を確認することができるきりぎりの値を設定する。例えば、X=100などとする。
【００７４】
Ｓ３０５において、輝度値Y＜ｘとなった場合、Ｓ３０６に進み、フレーム像が静止しているか否かを判断する。フレーム像の静止の判断手段は、図５で説明する。
【００７５】
Ｓ３０６において、フレーム像が静止していると判断されると、Ｓ３０７に進み画素加算を行う。Ｓ３０７での画素加算処理は、図７において説明する。
【００７６】
Ｓ３０６において、フレーム像が動いていると判断されると、Ｓ３０８に進む。Ｓ３０８では、撮像素子１４の光路内に配置されている赤外線カットフィルタ１３を光路外に配置し、撮像素子１４に赤外光を照射させ、静止していない低輝度被写体のフレーミングを可能にする。
【００７７】
システム制御回路５０は、Ｓ３０９に進むと、シャッタースイッチ６２の第１のスイッチがオンされているかを判断し、オンされていない場合はＳ３０１に戻り、シャッタースイッチの第１のスイッチがオンされるまで繰り返す。シャッタースイッチの第１のスイッチがオンされると（Ｓ３０９）、システム制御回路５０は、赤外線カットフィルタを撮像素子１４の光路内に挿入し（Ｓ３１０）、画素加算処理を終了する（Ｓ３１１）。次に、測光、ホワイトバランスの演算を行い（Ｓ３１２）、その結果に応じてシステム制御回路５０は再度プログラム線図により、絞り、シャッタースピードおよびＣＤＳ部１６のゲインを決定し、再度制御する（Ｓ３１３）。次に、撮像素子１４からＣＤＳ部１６、Ａ／Ｄ変換器１７を介して出力された画像データから高周波成分を取り出し、被写体までの距離の演算をシステム制御回路５０で行う（Ｓ３１４）。その後レンズを駆動して合焦か否かを判断し（Ｓ３１５）、合焦していないと判断したときは再びレンズを駆動し測距を行う。合焦後、シャッタースイッチ６４の第２のスイッチがオンされるまで待機し、第２のスイッチがオンされたら（Ｓ３１６）システム制御回路５０は、露光制御手段４０を起動して、適正に調光できるようにＥＦ制御（Ｓ３１７）を行い、シャッター１２を閉じ（Ｓ３１８）、静止画の記録を開始する。
撮像素子１４からＣＤＳ部１６、Ａ／Ｄ変換器１７を介して出力された画像データは、画像処理部２０で所定の処理を行い、システム制御回路５０の制御によって、インターフェース９０或いは９４、コネクタ９２を介して、メモリーカード等の記録媒体２００への画像データ書き込みを行う（Ｓ３１９）。
【００７８】
次に、図５では、Ｓ３０６におけるフレーム像の動き検出に関して一例を説明する。システム制御回路５０は、Ｓ３０６に進むと撮像素子１４からＣＤＳ部１６、Ａ／Ｄ変換器１７を介して出力された画像データを画像処理部２０で処理し、１フレーム内の高周波成分のピーク値α１を検出する（Ｓ５０１）。Ｓ５０２に進み、システム制御回路５０は、ピーク値α１のフレーム内座標ｘ１をメモリ５２に保存する。次に、Ｓ５０３では、システム制御回路５０は、１Ｖ後の撮像素子１４からＣＤＳ部１６、Ａ／Ｄ変換器１７を介して出力された画像データを画像処理部２０で処理し、１フレーム内の高周波成分のピーク値α２を検出する（Ｓ５０３）。Ｓ５０４に進み、システム制御回路５０は、ピーク値α２のフレーム内座標ｘ２をメモリ５２に保存する。システム制御回路５０は、ピーク値α１、α２のフレーム内座標ｘ１、ｘ２を比較し、ｘ１とｘ２が同じ座標であれば、フレーム像が静止していると判断し、Ｓ３０７へ進み、ｘ１とｘ２が異なる座標であれば、フレーム像が動いていると判断し、Ｓ３０８へ進む。ここで、ｘ１、ｘ２座標は、例えば図６に示されるような１フレームを２５分割し、分割された枠のひとつの領域を示すものとする。
【００７９】
次に、図７では、図４の画素加算処理（Ｓ３０７）について一例を説明する。
【００８０】
システム制御回路５０は、撮像素子１４からＣＤＳ部１６、Ａ／Ｄ変換器１７を介して出力された画像データ１をメモリ３０に保存する（Ｓ７０１）。次に、Ｓ７０２では、１Ｖ後、撮像素子１４からＣＤＳ部１６、Ａ／Ｄ変換器１７を介して出力された画像データ２をメモリ３０に保存する。システム制御回路５０は、Ｓ７０３において、画像処理部２０を制御し、メモリ３０に保存されている画像データ１と画像データ２を加算処理し（画像データ３）、Ｓ７０４に進む。Ｓ７０４では、Ｓ７０３で加算された画像データ３をもとに画像処理部２０によって輝度値Yを算出し、閾値ｘとの比較を行う。輝度値Yが閾値ｘより大きい場合、画素加算処理を終了し、Ｓ３０９へ進む。Ｓ７０４において、画像データ３の輝度値Yがｘより小さい場合、画像データ３を画像データ１としてメモリ３０に保存し（Ｓ７０５）、Ｓ７０２に戻る。
【００８１】
次に、図８は、図３のＳ１１２の動画モード処理の詳細なフローチャートを示す。
【００８２】
システム制御回路５０は、モードダイアル７２の設定位置を判断し、モードダイアル７２が動画モードに設定されていたならば動画シーケンスに入る。動画シーケンスに入ると、システム制御回路５０は、赤外線カットフィルタ１３を撮像素子１４の光路外に退避させ（Ｓ９０１）、ＡＦレンズのレンズ位置をリセット位置まで駆動し（Ｓ９０２）、撮像素子１４やタイミング発生回路１８など撮像系回路の電源をオンする。システム制御回路５０は、ＣＤＳ部１６に所定のゲインを設定し、かつ露光制御部４０を制御し、絞り・シャッター１２をまず開放にした後（Ｓ９０３）、撮像素子１４を通った信号をＣＤＳ部１６で相関二重サンプリングを行い、Ａ／Ｄ変換器１７でＡ／Ｄ変換を行い、その変換された画像データを画像処理部２０で処理し、更にシステム制御回路５０に入力し、ここで測光、ホワイトバランスの演算を行う（Ｓ９０４）。この演算結果に応じてシステム制御回路５０はプログラム線図により、絞り、シャッタースピード、ＣＤＳ部１６のゲインを決定し制御する（Ｓ９０５）。システム制御回路５０は、Ｓ９０６に進むと、シャッタースイッチ６２の第１のスイッチがオンされているかを判断し、オンされていない場合はＳ９０１に戻り、シャッタースイッチの第１のスイッチがオンされるまで繰り返す。シャッタースイッチの第１のスイッチがオンされると（Ｓ９０６）、システム制御回路５０は、測光、ホワイトバランスの演算を行い（Ｓ９０７）、その結果に応じてシステム制御回路５０は再度プログラム線図により、絞り、シャッタースピードおよびＣＤＳ部１６のゲインを決定し、再度制御する（Ｓ９０８）。次に、撮像素子１４からＣＤＳ部１６、Ａ／Ｄ変換器１７を介して出力された画像データから高周波成分を取り出し、被写体までの距離の演算をシステム制御回路５０で行う（Ｓ９０９）。その後レンズを駆動して合焦か否かを判断し（Ｓ９１０）、合焦していないと判断したときは再びレンズを駆動し測距を行う。合焦後、シャッタースイッチ６４の第２のスイッチがオンされるまで待機し、第２のスイッチがオンされたら（Ｓ９１１）システム制御回路５０は、動画の記録を開始する。撮像素子１４からＣＤＳ部１６、Ａ／Ｄ変換器１７を介して出力された画像データは、画像処理部２０で所定の処理を行い、システム制御回路５０の制御によって、インターフェース９０或いは９４、コネクタ９２を介して、メモリーカードや等の記録媒体２００への画像データ書き込みを行う（Ｓ９１２）。
【図面の簡単な説明】
【００８３】
【図１】本実施例における撮像システムの外観図。
【図２】本実施例における撮像装置の構成ブロック図。
【図３】本実施例における撮像装置の主ルーチンのフローチャート。
【図４】本実施例における撮像装置の静止画モード処理ルーチンのフローチャート。
【図５】本実施例におけるフレーム像の動き検出のフローチャート。
【図６】本実施例におけるフレーム分割領域図。
【図７】本実施例における画素加算処理のフローチャート。
【図８】本実施例における撮像装置の動画モード処理ルーチンのフローチャート。
【符号の説明】
【００８４】
１  デジタルカメラ
２  本体部
１０  撮影レンズ
１２  シャッター
１３  赤外線カットフィルタ
１４  撮像素子
１６  ＣＤＳ部
１７  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  ストロボ
５０  システム制御回路
５２  メモリ
５４  表示部
５６  不揮発性メモリ
６０  電源スイッチ（メインスイッチ）
６２  シャッタースイッチSW1
６４  シャッタースイッチSW2
７０  操作部
７２  モードダイアルスイッチ
８０  電源制御手段
８２  コネクタ
８４  コネクタ
８６  電源手段
９０  インタフェース
９２  コネクタ
１００  撮像装置
１０２  保護手段
１０４  光学ファインダ
２００  記録媒体
２０２  記録部
２０４  インタフェース
２０６  コネクタ
【図１】
2007215107.tif 000003
【図２】
2007215107.tif 000004
【図３】
2007215107.tif 000005
【図４】
2007215107.tif 000006
【図５】
2007215107.tif 000007
【図６】
2007215107.tif 000008
【図７】
2007215107.tif 000009
【図８】
2007215107.tif 000010